(57)【要約】      （修正有）【課題】体積が比較的小さく、工具がなくても分解できて、安全なペット用のボックスドライヤーを提供する。【解決手段】第一板体１と、上方フレーム２と、二枚の側面板５と、下方フレーム６と、二本の前方桿体７と、ドア板８とを含んでなり、第一板体が、上方接続桿と、下方接続桿とを凸設し、上方フレームが、第一板体の上方接続桿に回動自在に接続し、天井板２４を設けてなり、該天井板の表面にドライヤー４を設けてなり、二枚の側面板が、それぞれ第一板体に蝶番で枢接し、下方フレームが、第一板体の下方接続桿に回動自在に接続し、二本の前方桿が、下方フレームの前端に回動自在に接続し、上方フレームの前端に接続し、ドア板が、上方フレームの前方側面に蝶番で枢接する。【選択図】図１
0003165766.tif 000002
【実用新案登録請求の範囲】
【請求項１】
第一板体と、上方フレームと、二枚の側面板と、下方フレームと、二本の前方桿体と、ドア板とを含んでなり、
該第一板体が、上方接続桿と、下方接続桿とを凸設し、
該上方フレームが、第一板体の上方接続桿に回動自在に接続し、天井板を設けてなり、該天井板の表面にドライヤーを設けてなり、
該二枚の側面板が、それぞれ第一板体に蝶番で枢接し、
該下方フレームが、第一板体の下方接続桿に回動自在に接続し、
該二本の前方桿が、下方フレームの前端に回動自在に接続し、上方フレームの前端に接続し、
該ドア板が、上方フレームの前方側面に蝶番で枢接することを特徴とするペット用ボックスドライヤー。
【請求項２】
前記下方フレームの前端と、第一板体の底端にタイヤが設けられることを特徴とする請求項１に記載のペット用ボックスドライヤー。
【請求項３】
前記下方フレームが、底部に孔を具えた底板を設けてなり、該底板の下方には収集皿が設けられることを特徴とする請求項１に記載のペット用ボックスドライヤー。
【請求項４】
前記上方フレームが、左右に二本の側面管体を設けてなり、該側面管体が上方接続桿よりも太いため、上方接続桿に接続し、側面管体と上方接続桿との間が枢軸で回動自在に接続されることを特徴とする請求項１に記載のペット用ボックスドライヤー。
【請求項５】
前記下方フレームが左右に二本の側面管体を設けてなり、該側面管体が、下方接続桿よりも太いため、下方接続桿を接続し、側面管体と、下方接続桿体との間が枢軸で回動自在に接続されることを特徴とする請求項１に記載のペット用ボックスドライヤー。
【請求項６】
前記前方桿体が、管体であって、下方フレーム前端の両側に枢設し、該上方フレーム前端の両側にそれぞれ固定柱を設けてなり、該固定柱が前方桿に挿設することを特徴とする請求項１に記載のペット用ボックスドライヤー。
【請求項７】
前記下方フレームが、前端に前方管体を設けてなり、該前方管体が両端にそれぞれ柱体を設けてなり、前方桿体が柱体に枢軸で枢設し、下方フレームの前方管体に対して回転して前方管体上に折り畳み重なることを特徴とする請求項１に記載のペット用ボックスドライヤー。
【請求項８】
前記ドア板が、両側にそれぞれフック片を設けてなり、該フック片が前方桿体の側面の突起に係合することを特徴とする請求項１に記載のペット用ボックスドライヤー。
【請求項９】
前記上方フレームが、両側にそれぞれ側面板を固定する固定片を設けてなることを特徴とする請求項１に記載のペット用ボックスドライヤー。
【考案の詳細な説明】
【技術分野】
【０００１】
この考案は、ボックスドライヤーであって、特にペットの体を洗った後、乾燥するために使用するペット用ボックスドライヤーに関する。
【背景技術】
【０００２】
犬や猫などのペットの体を洗った後、通常、風邪をひくのを防ぐために毛を乾かす必要がある。
【０００３】
多くのペットの毛は非常に多く、ペットの毛を乾燥させるためには通常、数十分から一、二時間ほどかかる。
【０００４】
よって、ペットを飼っている人にとっては体力的に大きな負担となっている。
【０００５】
このため、市場ではペット用のボックスドライヤーが発売され、ペットをボックスドライヤーに入れると、ボックス上方に設けられた乾燥機からボックス内に風が吹いてきてペットの毛を乾燥させることができる。
【０００６】
該ボックスドライヤーは、ペットに設けられた空間が限られているため、熱風が吹き付けてもペットがあちこちに移動することがない。
【０００７】
また、人手を削減することができ、環境保護にもつながる。
【０００８】
従来のペット用のドライヤーはいずれも固定された機械的な構造で、木材、或いは金属を組み合わせて密閉された空間からなり、ペットにボックス内で高温熱風を受けさせる。
【０００９】
ボックス内の熱気が外部に漏れないようにし、ペットの毛から蒸発した水気や甚だしくはペットの毛を乾燥する過程で発生する排泄物の臭気が外部に漏れないようにしているため屋内の環境が汚染される。
【００１０】
また、ペットは毎日体を洗わないため、ボックスドライヤーは一度使用した場合、次回の使用までには間隔があく。
【００１１】
一定の体積を具えたボックスドライヤーは空間を占領することになる。
【００１２】
体積が比較的小さいドライヤーだけのものは、網状のペット用ゲージの上方に直接設けて、ゲージ内に風を送ってペットの毛を乾燥るために使用する。
【００１３】
しかしながら、ペット用のゲージは防水用の囲いが設けられていないため、乾燥の効果が好ましくない。
【００１４】
ペットの体から放たれた水気は環境に対して問題がある。
【００１５】
別にネット状のペット用のゲージ専用のドライヤーを購入することは、次の使用までに間隔があく製品であり、ペット用のゲージも空間を占領するため実用的でない。
【００１６】
ペット用のゲージには組み立て式の構造を具え、使用しない場合には分解して収納することができて空間を占領することがないものもある。
【００１７】
しかしながら、分解する場合には、多かれ少なかれいくつかの工具を利用して組み合わせ、分解する。
【００１８】
分解した後には複数の部品があるため、収納することが難しい。
【００１９】
よって、非常に不便で改善する余地がある。
【考案の開示】
【考案が解決しようとする課題】
【００２０】
この考案は、体積が比較的小さく、工具がなくても分解できて、安全なペット用のボックスドライヤーを提供することを課題とする。
【課題を解決するための手段】
【００２１】
そこで、本考案者は従来の技術に見られる欠点に鑑みて鋭意研究を重ねた結果、第一板体と、上方フレームと、二枚の側面板と、下方フレームと、二本の前方桿体と、ドア板とを含んでなり、
該第一板体が、上方接続桿と、下方接続桿とを凸設し、
該上方フレームが、第一板体の上方接続桿に回動自在に接続し、天井板を設けてなり、該天井板の表面にドライヤーを設けてなり、
該二枚の側面板が、それぞれ第一板体に蝶番で枢接し、
該下方フレームが、第一板体の下方接続桿に回動自在に接続し、
該二本の前方桿が、下方フレームの前端に回動自在に接続し、上方フレームの前端に接続し、
該ドア板が、上方フレームの前方側面に蝶番で枢接するペット用ボックスドライヤーによって課題を解決できる点に着眼し、かかる知見に基づいて本考案を完成させた。
【００２２】
以下、この考案について具体的に説明する。
請求項１に記載する第一板体と、上方フレームと、二枚の側面板と、下方フレームと、二本の前方桿体と、ドア板とを含んでなり、
該第一板体が、上方接続桿と、下方接続桿とを凸設し、
該上方フレームが、第一板体の上方接続桿に回動自在に接続し、天井板を設けてなり、該天井板の表面にドライヤーを設けてなり、
該二枚の側面板が、それぞれ第一板体に蝶番で枢接し、
該下方フレームが、第一板体の下方接続桿に回動自在に接続し、
該二本の前方桿が、下方フレームの前端に回動自在に接続し、上方フレームの前端に接続し、
該ドア板が、上方フレームの前方側面に蝶番で枢接する。
【００２３】
請求項２に記載のペット用ボックスドライヤーは、請求項１における下方フレームの前端と、第一板体の底端にタイヤが設けられる。
【００２４】
請求項３に記載のペット用ボックスドライヤーは、請求項１における下方フレームが、底部に孔を具えた底板を設けてなり、該底板の下方には収集皿が設けられる。
【００２５】
請求項４に記載のペット用ボックスドライヤーは、請求項１における上方フレームが、左右に二本の側面管体を設けてなり、該側面管体が上方接続桿よりも太いため、上方接続桿に接続し、側面管体と上方接続桿との間が枢軸で回動自在に接続される。
【００２６】
請求項５に記載のペット用ボックスドライヤーは、請求項１における下方フレームが左右に二本の側面管体を設けてなり、該側面管体が、下方接続桿よりも太いため、下方接続桿を接続し、側面管体と、下方接続桿体との間が枢軸で回動自在に接続される。
【００２７】
請求項６に記載のペット用ボックスドライヤーは、請求項１における前方桿体が、管体であって、下方フレーム前端の両側に枢設し、該上方フレーム前端の両側にそれぞれ固定柱を設けてなり、該固定柱が前方桿に挿設する。
【００２８】
請求項７に記載のペット用ボックスドライヤーは、請求項１における下方フレームが、前端に前方管体を設けてなり、該前方管体が両端にそれぞれ柱体を設けてなり、前方桿体が柱体に枢軸で枢設し、下方フレームの前方管体に対して回転して前方管体上に折り畳み重なる。
【００２９】
請求項８に記載のペット用ボックスドライヤーは、請求項１におけるドア板が、両側にそれぞれフック片を設けてなり、該フック片が前方桿体の側面の突起に係合する。
【００３０】
請求項９に記載のペット用ボックスドライヤーは、請求項１における上方フレームが、両側にそれぞれ側面板を固定する固定片を設けてなる。
【００３１】
また、折り畳み可能な箱体は、第一板体と、上方フレームと、二枚の側面板と、下方フレームと、二本の前方桿体と、ドア板とを含んでなり、
該第一板体が、上方接続桿と、下方接続桿とを凸設し、
該上方フレームが、第一板体の上方接続桿に回動自在に接続し、
該二枚の側面板が、それぞれ第一板体に蝶番で枢接し、
該下方フレームが、第一板体の下方接続桿に回動自在に接続し、
該二本の前方桿が、下方フレームの前端に回動自在に接続し、上方フレームの前端に接続し、
該ドア板が、上方フレームの前方側面に蝶番で枢接する。
【００３２】
また、折り畳み可能な箱体は、［００３１］における下方フレームの前端と第一板対の底端にタイヤが設けられる。
【００３３】
また、折り畳み可能な箱体は、［００３１］における下方フレームが、底部に孔を具えた底板を設けてなり、該底板の下方に収集皿を設けてなる。
【００３４】
また、折り畳み可能な箱体は、［００３１］における上方フレームが、左右両側に側面管体を設けてなり、該側面管体が上方接続桿よりも太いため、上方接続桿に接続し、側面管体と上方接続桿との間が枢軸で互いに回動自在に接続される。
【００３５】
また、折り畳み可能な箱体は、［００３１］における下方フレームが、左右に二本の側面管体を設けてなり、該側面管体が下方接続桿よりも太いため、下方接続桿に接続し、且つ、側面管体と下方接続桿との間が枢軸で互いに回動自在に接続される。
【００３６】
また、折り畳み可能な箱体は、［００３１］における前方桿体が、管体であって、下方フレーム前端の両側に枢設し、上方フレーム前端の両側にそれぞれ固定柱を設けてなり、該固定柱が前方桿体に挿設される。
【００３７】
また、折り畳み可能な箱体は、［００３１］における下方フレームが、前端に前方管体を設けてなり、該前方管体の両端にそれぞれ柱体を凸設し、前方桿体がそれぞれ柱体に枢軸で枢接し、下方フレームの前方管体に対して回転して前方管体上に互いに折り重なる。
【００３８】
また、折り畳み可能な箱体は、［００３１］におけるドア板が、両側にそれぞれフック片を設けてなり、該フック片が前方桿体の側面の突起と係合する。
【００３９】
また、折り畳み可能な箱体は、［００３１］における上方フレームが、両側にそれぞれ側面板を固定する固定片を設けてなる。
【考案の効果】
【００４０】
この考案のボックスドライヤーは、工具がなくても分解できて便利で、折り畳み可能なため収納にも便利で実用的であるという効果を有する。
【考案を実施するための最良の形態】
【００４１】
この考案は、体積が比較的小さく、工具がなくても分解できて、安全なペット用のボックスドライヤーであって、第一板体と、上方フレームと、二枚の側面板と、下方フレームと、二本の前方桿体と、ドア板とを含んでなり、
該第一板体が、上方接続桿と、下方接続桿とを凸設し、
該上方フレームが、第一板体の上方接続桿に回動自在に接続し、天井板を設けてなり、該天井板の表面にドライヤーを設けてなり、
該二枚の側面板が、それぞれ第一板体に蝶番で枢接し、
該下方フレームが、第一板体の下方接続桿に回動自在に接続し、
該二本の前方桿が、下方フレームの前端に回動自在に接続し、上方フレームの前端に接続し、
該ドア板が、上方フレームの前方側面に蝶番で枢接するペット用ボックスドライヤーの構造と特徴を詳述するために具体的な実施例を挙げ、図示を参照にして以下に説明する。
【実施例】
【００４２】
図１、図２は、この考案のペット用のボックスドライヤーを示したものである。
【００４３】
該ボックスドライヤーは、第一板体１と、上方フレーム２と、二枚の側面板５と、下方フレーム６と、二本の前方桿体７と、ドア板８とを含んでなる。
【００４４】
該第一板体１に設けられた金属フレームと、金属フレームに設けられた透明のガラス板、或いはアクリル板とを含んでなる。
【００４５】
第一板体１は、上端両側にそれぞれ突出して設けられた上方接続桿１１と、下端両側にそれぞれ突出して設けられた下方接続桿１２とを含んでなり、上方接続桿１１と、下方接続桿１２とが管体からなる。
【００４６】
上方フレーム２は、第一板体１の上方接続桿１１に回動自在に接続する。
【００４７】
上方フレーム２は、左右両側に側面管体２１を設けてなる。該側面管体２１は、上方接続桿１１よりも太いため、上方接続桿１１に設けることができ、且つ側面管体２１と上方接続桿１１との間が枢軸３で回動自在に接続される。
【００４８】
上方フレーム２は、前方端縁部に前方管体２２を設けてなる。該前方管体２２は両端底部にそれぞれ突出して固定柱２３を設けてなる。
【００４９】
該上方フレーム２はまた、天井板２４を設けてなる。該天井板２４には組み立て孔２５が設けられる。
【００５０】
ドライヤー４が該組み立て孔２５に固定して設けられ、ボックス内に風を送ることができる。
【００５１】
該ドライヤー４は、四つの調整ボタン４１が設けられ、時間、温度、風量、言語を設定することができ、ＬＥＤランプ４２で表示し、両側に設けられたスピーカー４３で音楽を聴くこともできる。
【００５２】
二枚の側面板５は、それぞれ蝶番５０で第一板体１の両側に枢接され、第一板体１に対して回動自在に開閉することができる。
【００５３】
上方フレーム２の側面管体２１は内側にそれぞれ回転可能な固定片２６が設けられているため、側面板５が回動可能に固定される。
【００５４】
下方フレーム６は第一板体１の下方接続桿１２に回動自在に接続される。
【００５５】
下方フレーム６は、左右に二つの側面管体６１を設けてなる。該側面管体６１は、下方接続桿１２よりも太いため、下方接続桿１２に接続して設けることができ、側面管体６１と下方接続桿１２との間が枢軸３で回動自在に接続される。
【００５６】
下方フレーム６は前方端縁部両側の下方にタイヤ６２を設けてなり、第一板体１の両側下方にもタイヤ１３が設けられて、ボックスの移動が便利である。
【００５７】
二本の前方桿体７は、下方フレーム６の前端で、上方フレーム２の前端に回動自在に接続する。
【００５８】
下方フレーム６は前端に前方管体６３を設けてなる。該前方管体６３は両端にそれぞれ柱体６４を設けてなる。
【００５９】
二本の前方桿体７はそれぞれ柱体６４に枢軸３で枢接し、下方フレーム６の前方管体６３に対して回動自在に設けられ、前方管体６３上に折り畳み重ねることができる。
【００６０】
前方桿体７は管体で、上端が上方フレーム２の固定柱２３に挿設して上方フレーム２を支持固定する。
【００６１】
該ドア板８は、着脱可能な蝶番８１で上方フレーム２の前方管体２２に枢接する。
【００６２】
該ドア板８は両側にそれぞれフック片８２を設けてなる。該フック片８２を前方桿体７の側面の突起７１に係合してドア板８を固定する。
【００６３】
下方フレーム６は底部に孔９１０を具えた底板９１を設けてなる。該底板９１の下方には収集皿９２が設けられる。
【００６４】
よって、ペットの体の水、或いは排泄物が底板９１の孔９１０から下方の収集皿９２に排出されるため、捨てたり掃除するために便利である。
【００６５】
図２から図７に開示するように、上述の構造からなるボックスドライヤーは、ペットの体を洗った後、乾燥させる場合、ペットをボックス内に入れて、天井板２４上のドライヤー４でボックス内のペットに向けて風を送り込むことができる。
【００６６】
ボックスドライヤーを使用しない場合、空間を占領することを避けるため、ボックスドライヤーを折り畳むことができるため収納に便利である。
【００６７】
折り畳む場合、図２に開示するように、ドライヤー４を取り外し、底板９１と、収集皿９２とを取り外す。
【００６８】
図３に開示するように、ドア板８を蝶番８１ごと取り外す。
【００６９】
二枚の側面板５は蝶番５０ごと第一板体１の方向から回動して折り畳み重ね合わせ、図４に開示するように、上方フレーム２と二本の前方桿体７とを分解する。
【００７０】
二本の前方桿体７は図５に開示するように、それぞれ下方フレーム６の前端に回動自在に折り畳んで重ね合わせる。
【００７１】
上方フレーム２は、図６に開示するように、下方から第一板体１の方向に動かして折り畳み側面板５上に重ね合わせる。
【００７２】
最後に、下方フレーム６を図７に開示するように、上方から第一板体１の方向に動かして折り畳み上方フレーム２上に重ね合わせる。
【００７３】
よって、ボックスが折り畳んで一体になり、収納し易くなり、空間を占領することがない。
【００７４】
また、折り畳む過程で工具を使用する必要がなく、動かして折り畳むだけでよいため、簡単で便利である。
【００７５】
同様に、展開して使用する場合にも工具を必要とすることがなく、直接、動かして組み合わせればすばやくボックスを形成することができる。
【００７６】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【図面の簡単な説明】
【００７７】
【図１】この考案のペット用ボックスドライヤーを示した斜視図である。
【図２】この考案の折り畳み可能な箱体を示した斜視図である。
【図３】この考案のドア板を取り外す状態を示した説明図である。
【図４】この考案の側面板を第一板体に折り畳み重ねた状態を示した説明図である。
【図５】この考案の上方フレームと前方桿体とを取り外す状態を示した説明図である。
【図６】この考案の前方桿体を下方フレームに重ね合わせ、上方フレームを第一板体に重ね合わせた状態を示した説明図である。
【図７】この考案の下方フレームを折り畳んだ状態を示した説明図である。
【符号の説明】
【００７８】
１       第一板体
１１     上方接続桿
１２     下方接続桿
１３     タイヤ
２       上方フレーム
２１     側面管体
２２     前方管体
２３     固定柱
２４     天井板
２５    組み立て孔
２６     固定片
３       枢軸
４       ドライヤー
４１     調整ボタン
４２     ＬＥＤランプ
４３     スピーカー
５       側面板
５０     蝶番
６       下方フレーム
６１     側面管体
６２     タイヤ
６３     前方管体
６４     柱体
７       前方桿体
８       ドア板
８１     蝶番
８２     フック片
９１     底板
９１０   孔
９２     収集皿
【図１】
0003165766.tif 000003
【図２】
0003165766.tif 000004
【図３】
0003165766.tif 000005
【図４】
0003165766.tif 000006
【図５】
0003165766.tif 000007
【図６】
0003165766.tif 000008
【図７】
0003165766.tif 000009